(57)【要約】【課題】一次除染後に森林部と居住部の間の境界部等に再び堆積する放射性物質を含んだ堆積物から、放射性物質が除染した区域外へ流出することを防ぐとともに、除染作業に従事する作業員の健康面への影響の低減や除染コストを低減することが可能な除染工法を提供することを課題とする。【解決手段】一次除染後の区域に選択的に放射性物質を吸着できる防草シートを敷設することを特徴とする除染工法。【選択図】図１
2014013212.tif 000002
【特許請求の範囲】
【請求項１】
一次除染後の区域に選択的に放射性物質を吸着できる防草シートを敷設することを特徴とする除染工法。
【請求項２】
一次除染後の区域が斜面の場合に防草シートを敷設する際に、斜面下部に平場および／または窪地を設ける請求項１に記載の除染工法。
【請求項３】
一次除染後の区域に防草シートを敷設する際に、敷設区域端部に平地および／または窪地を設ける請求項１または２に記載の除染工法。
【請求項４】
請求項１〜３のいずれかに記載の一次除染後の区域に敷設した防草シートに、次期堆積物が堆積した、または次期堆積物に含まれる放射性物質が吸着された場合に、次期堆積物と防草シートを一緒に除去する除染工法。
【請求項５】
請求項４に記載の次期堆積物と防草シートを一緒に除去する方法が、防草シート上に堆積している次期堆積物を防草シートと一緒に斜面上部からロール状に巻き込む、または防草シート斜面上端部よりロープ等を用い包み込み等、除染作業員が直接次期堆積物や防草シートに極力触れないよう除去する除染工法。
【請求項６】
請求項１〜５のいずれかに記載の除染工法に使用される、フェロシアン化鉄またはフェロシアン化鉄化合物が防草シートに含まれるシート状物を構成する繊維に含有されている防草シート。
【請求項７】
請求項１〜５のいずれかに記載の除染工法に使用される、フェロシアン化鉄またはフェロシアン化鉄化合物が防草シートに含まれるシート状物の上面および／または下面に含浸、吹き付け、塗布、または貼り付けされている防草シート。
【請求項８】
通気性及び透湿性を有し、表面が防滑性を有し、遮光率が９０％以上である請求項６または７に記載の防草シート。
【発明の詳細な説明】
【技術分野】
【０００１】
本発明は、セシウム１３７やセシウム１３４などの放射性物質（以下、単に「放射性物質」という）を含んだ下草、落ち葉、枯れ枝、リター層や表土等を除染した後の、森林部と居住部の間の境界部、道路中央分離帯、道路脇や樹木周りなど（以下、「森林部と居住部の間の境界部等」という）に、新たに堆積するであろう放射性物質を含む落ち葉、枯れ枝や流入土等から放射性物質を流出させず、かつ作業員の健康被害を最小限に抑え、継続的に効率良く、放射性物質を取り除く除染工法に関する。
【背景技術】
【０００２】
森林部と居住部の間の境界部等の区域に堆積した放射性物質を含んだ下草、落ち葉、枯れ枝、リター層や表土等をスコップ、草刈機、熊手、じょれん等の人力やバキューム機により除去し、仮置場等の別場所に搬出することで居住部に生活している人間に影響する放射線量を低下させている。この行為は除染と呼ばれている。
【０００３】
現状は、一度除染を行っても、森林部と居住部の間の境界部等には、常時放射性物質を含んだ落ち葉、枯れ枝や流入土等が降雨により流れてきたり、植物の生育により堆積する可能性がある。
【０００４】
そのため、再び堆積した放射性物質を含んだ落ち葉、枯れ枝や流入土等を、最初に実施する除染（以下、「一次除染」という）と同様にスコップ、草刈機、熊手、じょれん等の人力やバキューム機により除染を行うこととなる。
【０００５】
放射性物質を含んだこれら堆積物を除去する除染を行うに当たり、一次除染後継続的に同一箇所を除染する必要があり、作業員の健康面への影響やコストを低減する方法が望まれている。
【発明の概要】
【発明が解決しようとする課題】
【０００６】
本発明は、従来工法を背景になされたもので、一次除染後に森林部と居住部の間の境界部等に再び堆積する放射性物質を含んだ堆積物（以下、「次期堆積物」という）から、放射性物質が除染した区域外へ流出することを防ぐとともに、除染作業に従事する作業員の健康面への影響の低減や除染コストを低減することが可能な除染工法を提供することを課題とする。
【課題を解決するための手段】
【０００７】
本発明者らは上記課題を解決するため、特別な素材を用いた複合材からなる防草シートを、一次除染した区域に敷設することで、次期堆積物に含まれる放射性物質を除染した区域外へ流出させず、除染作業に従事する作業員の放射線による健康面への影響や除染コストを低減できる工法を見出した。
【０００８】
すなわち、本発明は、以下の通りである。
１．一次除染後の区域に選択的に放射性物質を吸着できる防草シートを敷設することを特徴とする除染工法。
２．一次除染後の区域が斜面の場合に防草シートを敷設する際に、斜面下部に平場および／または窪地を設ける上記１に記載の除染工法。
３．一次除染後の区域に防草シートを敷設する際に、敷設区域端部に平地および／または窪地を設ける上記１または２に記載の除染工法。
４．上記１〜３のいずれかに記載の一次除染後の区域に敷設した防草シートに、次期堆積物が堆積した、または次期堆積物に含まれる放射性物質が吸着された場合に、次期堆積物と防草シートを一緒に除去する除染工法。
５．上記４に記載の次期堆積物と防草シートを一緒に除去する方法が、防草シート上に堆積している次期堆積物を防草シートと一緒に斜面上部からロール状に巻き込む、または防草シート斜面上端部よりロープ等を用い包み込み等、除染作業員が直接次期堆積物や防草シートに極力触れないよう除去する除染工法。
６．上記１〜５のいずれかに記載の除染工法に使用される、フェロシアン化鉄またはフェロシアン化鉄化合物が防草シートに含まれるシート状物を構成する繊維に含有されている防草シート。
７．上記１〜５のいずれかに記載の除染工法に使用される、フェロシアン化鉄またはフェロシアン化鉄化合物が防草シートに含まれるシート状物の上面および／または下面に含浸、吹き付け、塗布、または貼り付けされている防草シート。
８．通気性及び透湿性を有し、表面が防滑性を有し、遮光率が９０％以上である上記６または７に記載の防草シート。
【発明の効果】
【０００９】
本発明は、一次除染後の区域に堆積するであろうセシウム１３７、セシウム１３４などの放射性物質を含んだ次期堆積物から、放射性物質が防草シートに吸着されることによって、敷設範囲外の土壌に流出する量を低減することが可能であり、一次除染後の森林部と居住部の間の境界部等に堆積した次期堆積物を除去する作業（以下、「二次除染」という。なお、二次除染には３回目以降の除染作業を含む）を行う時の人的作業量および被爆量を低減することが可能となる安全、安価な除染工法であり、効率的に放射性物質を回収することが可能となる。
【図面の簡単な説明】
【００１０】
【図１】一次除染後、本願発明に記載の防草シートを森林部と居住部斜面境界部に敷設した状態を示した図である。
【図２】本願発明に記載の防草シート表面上に放射性物質を含む堆積物が堆積または防草シートに放射性物質が吸着された状態を示した図である。
【図３】放射性物質を含む堆積物を、本願発明に記載の防草シートと一緒にロール状に巻き込んで除去する状態を示し図である。
【図４】本願発明に記載の防草シートを、一次除染後の区域に敷設するに際し、斜面下部に窪地を設け敷設した状態を示した図である。
【図５】本願発明に記載の防草シートを、一次除染後の区域に敷設するに際し、敷設区域端部に平地を設け敷設した状態を示した図である。
【図６】本願発明に記載の防草シートの一形態を表した図である。
【図７】本願発明に記載の防草シートの一形態を表した図である。
【図８】本願発明に記載の防草シートの一形態を表した図である。
【図９】本願発明に記載の防草シートの一形態を表した図である。
【図１０】本願発明に記載の防草シートの一形態を表した図である。
【発明を実施するための形態】
【００１１】
本発明の除染工法は、まず森林部と居住部の間の境界部等の区域に堆積した放射性物質を含んだ下草、落ち葉、枯れ枝、リター層や表土等をスコップ、草刈機、熊手、じょれん等の人力やバキューム機により除去し、仮置場等の別場所に搬出することで居住部に生活している人間に影響する放射線量を低下させる一次除染を実施後、その区域に選択的に放射性物質を吸着できる防草シートを敷設することを特徴とする。その際、防草シートは、ロールまたは反物製品を平地または斜面に敷設する。
【００１２】
防草シート敷設後は、防草シートの端部・継部の固定を充分に行い、表流水、流入物、風雨、風雪や獣類によりめくれたり破損されないようにするが、二次除染時に廃棄する必要があることから、コンクリート固定等剛構造による固定方法は採用しないほうが良い。
【００１３】
防草シート敷設後、防草シートの上部に堆積した草木類の落葉や枯れ枝、流入してきた土砂に放射性物質が含まれており、近傍指定区域の放射線量が規定値を超えるような場合は、前記堆積物（次期堆積物）を防草シートと一緒に仮置場等の区域外へ除去する除染を行う。これら一次除染以降の除染作業は二次除染と言われるものである。
【００１４】
防草シートを除去する方法として、防草シート上部に堆積している次期堆積物を防草シートと一緒に斜面上部から自然落下等によりロール状に巻き込む方法、または防草シート斜面上端部よりロープ等を用い包み込む方法等を採用することが出来る。この方法を採用することにより、除染作業員が直接次期堆積物や防草シートに極力触れないようにして防草シートと次期堆積物を一緒に除去することができる。
【００１５】
防草シートと次期堆積物の撤去により、除染後近傍区域の放射線量は一時低下するが、除染区域には次期堆積物が再び堆積する。そのため、除染後の近傍指定区域において次期堆積物から発せられる放射線量が規定値を下回る数値になるまで、上記二次除染作業を繰り返す必要がある。なお、二次除染とは、一次除染後の１回目の除染作業のみでなく、２回目以降の除染作業も含むものである。
【００１６】
本発明の除染工法に使用される防草シートとしては、放射性物質を選択的に吸着できる機能を持たせるため、防草シートを構成する防草機能を持つシート状物の繊維自体に放射性物質を選択的に吸着できる物質を配合、含浸や塗布等の方法で含有させたものが挙げられる（図６）。この場合、シート状物単体で防草シートを構成しても良いし、他のシート状物等と積層する構成としても良い。
また、他の構成としては、防草機能を持つシート状物とその上面および／または下面に放射性物質を選択的に吸着できる物質を含浸、吹き付け、塗布や貼り付け等して得られる放射性物質吸着層を積層したものが挙げられる（図７〜９）。なお、この構成には、放射性物質を選択的に吸着できる物質を含浸、吹き付け、塗布や貼り付け等して得られる放射性物質吸着層の両面に防草機能を持つシート状物を積層した構造や、片面に防草機能を持つシート状物をもう一方の面に防草機能を持たないシート状物を積層した構造（図１０）も含むものである。
【００１７】
放射性物質を選択的に吸着できる物質として、選択的にセシウムを吸着できるフェロシアン化鉄またはフェロシアン化鉄化合物を好ましく使用することができる。
【００１８】
本発明の除染工法に使用される防草シートは、防草性に優れ、通気及び透水性があり、かつ表面が滑り難い防滑性を有し、遮光率９０％以上を有する防草シートであることが好ましい。さらにタバコの投げ捨てなどによる延焼を防止する難燃性であることが好ましい。
【００１９】
本発明の除染工法に使用される防草シートの強度は、除染後の地盤に直接敷設する場合があるので、適度な強度を有することが好ましい。また、防草シートの厚さ・目付等は、堆積物と一緒に除去するため、適度な厚さ・目付等とし、取り扱いやすいものとすることが好ましい。
【産業上の利用可能性】
【００２０】
本発明は、一次除染後の区域に堆積するであろうセシウム１３７、セシウム１３４などの放射性物質を含んだ次期堆積物から、放射性物質が防草シートに吸着されることによって、敷設範囲外の土壌に流出する量を低減することが可能であり、一次除染後の森林部と居住部の間の境界部等に堆積した次期堆積物を除去する作業を行う時の人的作業量および被爆量を低減することが可能となる安全、安価な除染工法であり、効率的に放射性物質を回収することが可能となる。
【図１】
2014013212.tif 000003
【図２】
2014013212.tif 000004
【図３】
2014013212.tif 000005
【図４】
2014013212.tif 000006
【図５】
2014013212.tif 000007
【図６】
2014013212.tif 000008
【図７】
2014013212.tif 000009
【図８】
2014013212.tif 000010
【図９】
2014013212.tif 000011
【図１０】
2014013212.tif 000012